(57)【要約】【課題】新たな印刷の開始時に旧ウェブロールとして小径の残ウェブロールも使用できるようにして、印刷資材の有効利用と生産性の向上が図れる帯状体連続供給方法及び装置を提供する。【解決手段】新巻取紙１２及び旧巻取紙１３を支持すると共に回動可能に支持されたターレット・アーム１１と、該ターレット・アーム１１を回動させるターレット・アーム旋回用モータ１４とを備え、前記新巻取紙１２のウェブＷを前記旧巻取紙１３のウェブＷに紙継ぎして連続してウェブＷを供給する給紙装置１において、本機駆動前に、前記ターレット・アーム旋回用モータ１４を駆動してターレット・アーム１１を回動させ、新巻取紙１２を紙継ぎ待機位置に移動させる。【選択図】図１
2007320733.tif 000002
【特許請求の範囲】
【請求項１】
新ウェブロール及び旧ウェブロールを支持すると共に回動可能に支持されたターレット・アームと、該ターレット・アームを回動させるターレット・アーム駆動装置とを備え、前記新ウェブロールの帯状体を前記旧ウェブロールの帯状体に紙継ぎして連続して帯状体を供給する帯状体連続供給装置において、
本機駆動前に、前記ターレット・アーム駆動装置を駆動してターレット・アームを回動させ、新ウェブロールを紙継ぎ待機位置に移動させることを特徴とする帯状体連続供給方法。
【請求項２】
前記新ウェブロールの帯状体を前記旧ウェブロールの帯状体に押し付ける押し付け部材と前記旧ウェブロールの帯状体を切断する切断部材とを有する紙継ぎユニットを備え、本機駆動前に、前記紙継ぎユニットを紙継ぎ待機位置に移動させることを特徴とする請求項１記載の帯状体連続供給方法。
【請求項３】
前記新ウェブロールを回転させる新ウェブロール駆動手段を備え、本機が回転し始めた時、前記新ウェブロールの周速が前記旧ウェブロールから巻き出される帯状体の搬送速度と同じになるように前記新ウェブロール駆動手段を駆動することを特徴とする請求項１記載の帯状体連続供給方法。
【請求項４】
本機の回転速度が予め定められた回転速度以上の時、前記新ウェブロールを紙継ぎ待機位置に移動させると共に前記紙継ぎユニットを紙継ぎ待機位置に移動させ、更には前記新ウェブロールの周速が前記旧ウェブロールから巻き出される帯状体の搬送速度と同じになるように前記新ウェブロール駆動手段を駆動することを特徴とする請求項２又は３記載の帯状体連続供給方法。
【請求項５】
新ウェブロール及び旧ウェブロールを支持すると共に回動可能に支持されたターレット・アームと、該ターレット・アームを回動させるターレット・アーム駆動装置とを備え、前記新ウェブロールの帯状体を前記旧ウェブロールの帯状体に紙継ぎして連続して帯状体を供給する帯状体連続供給装置において、
本機駆動前に、前記ターレット・アーム駆動装置を駆動してターレット・アームを回動させ、新ウェブロールを紙継ぎ待機位置に移動させる制御装置を備えたことを特徴とする帯状体連続供給装置。
【請求項６】
前記新ウェブロールの帯状体を前記旧ウェブロールの帯状体に押し付ける押し付け部材と前記旧ウェブロールの帯状体を切断する切断部材とを有する紙継ぎユニットを備え、前記制御装置は、本機駆動前に前記紙継ぎユニットを前記紙継ぎ待機位置に移動させることを特徴とする請求項５記載の帯状体連続供給装置。
【請求項７】
前記新ウェブロールを回転させる新ウェブロール駆動手段を備え、前記制御装置は、本機が回転し始めた時、前記新ウェブロールの周速が前記旧ウェブロールから巻き出される帯状体の搬送速度と同じになるように前記新ウェブロール駆動手段を駆動することを特徴とする請求項５記載の帯状体連続供給装置。
【請求項８】
前記制御装置は、本機の回転速度が予め定められた回転速度以上の時、前記新ウェブロールを紙継ぎ待機位置に移動させると共に前記紙継ぎユニットを紙継ぎ待機位置に移動させ、更には前記新ウェブロールの周速が前記旧ウェブロールから巻き出される帯状体の搬送速度と同じになるように前記新ウェブロール駆動手段を駆動することを特徴とする請求項６又は７記載の帯状体連続供給装置。
【発明の詳細な説明】
【技術分野】
【０００１】
本発明は、輪転印刷機の給紙装置等に適用して好適な帯状体連続供給方法及び装置に関する。
【背景技術】
【０００２】
ロール（巻取状のウェブ）を巻き出して使用する機械、例えば輪転印刷機などでは、自動紙継ぎユニットを用いることにより、現在巻出し中のロール（旧ウェブロール）が終りに近づくと、機械の運転を停止することなく、新しいロール（新ウェブロール）に自動的に継いで運転を続行するようになっている。
【０００３】
そして従来、オフセット輪転印刷機の自動紙継ぎユニットでは、旧ウェブロールの搬送速度が低速以上の一定値であり、かつ、残紙長が一定時間以下になった時に紙継ぎ信号が出力され、その紙継ぎ信号に応じて新ウェブロールを紙継ぎ待機位置に移動すると共にペースタユニット（紙継ぎユニット）を紙継ぎ位置に移動させ、プリドライブ装置で巻き出されている旧ウェブロールの搬送速度と新ウェブロールの周速が同じになるように新ウェブロールを回転させ、その状態で紙継ぎを行なっていた（特許文献１参照）。
【０００４】
【特許文献１】特開２００５−９６９６８号公報
【発明の開示】
【発明が解決しようとする課題】
【０００５】
しかしながら、新たな印刷を開始する時、上述した自動紙継ぎユニットにあっては、新ウェブロールの紙継ぎ待機位置への移動や新ウェブロールの周速の同期に時間がかかり、その間に旧ウェブが巻き出されて残紙長が不足してしまう為、印刷時（刷り出し時）に残った残巻取紙を旧ウェブロールとして使用することができず、その分、無駄が発生してしまう、という問題点があった。換言すれば、残紙長が不足した残巻取紙を旧ウェブロールとして使用すると、残紙無しによる機械停止を招来するのである。
【０００６】
よって、従来は、新たな印刷を開始する時、旧ウェブとしてある程度の大きさのウェブロールを使用しなければならなかったが、新たな印刷の開始時には正常な印刷物を印刷するための色合せや見当合せ等の調整を行わなければならず、印刷された印刷物が損紙になるため、その分無駄が発生してしまう、という問題があった。
【０００７】
そこで、本発明の目的は、新たな印刷の開始時に旧ウェブロールとして小径の残ウェブロールも使用できるようにして、印刷資材の有効利用と生産性の向上が図れる帯状体連続供給方法及び装置を提供することにある。
【課題を解決するための手段】
【０００８】
前記目的を達成するための本発明に係る帯状体連続供給方法は、新ウェブロール及び旧ウェブロールを支持すると共に回動可能に支持されたターレット・アームと、該ターレット・アームを回動させるターレット・アーム駆動装置とを備え、前記新ウェブロールの帯状体を前記旧ウェブロールの帯状体に紙継ぎして連続して帯状体を供給する帯状体連続供給装置において、本機駆動前に、前記ターレット・アーム駆動装置を駆動してターレット・アームを回動させ、新ウェブロールを紙継ぎ待機位置に移動させることを特徴とする。
【０００９】
また、前記新ウェブロールの帯状体を前記旧ウェブロールの帯状体に押し付ける押し付け部材と前記旧ウェブロールの帯状体を切断する切断部材とを有する紙継ぎユニットを備え、本機駆動前に、前記紙継ぎユニットを紙継ぎ待機位置に移動させることを特徴とする。
【００１０】
また、前記新ウェブロールを回転させる新ウェブロール駆動手段を備え、本機が回転し始めた時、前記新ウェブロールの周速が前記旧ウェブロールから巻き出される帯状体の搬送速度と同じになるように前記新ウェブロール駆動手段を駆動することを特徴とする。
【００１１】
また、本機の回転速度が予め定められた回転速度以上の時、前記新ウェブロールを紙継ぎ待機位置に移動させると共に前記紙継ぎユニットを紙継ぎ待機位置に移動させ、更には前記新ウェブロールの周速が前記旧ウェブロールから巻き出される帯状体の搬送速度と同じになるように前記新ウェブロール駆動手段を駆動することを特徴とする。
【００１２】
前記目的を達成するための本発明に係る帯状体連続供給装置は、新ウェブロール及び旧ウェブロールを支持すると共に回動可能に支持されたターレット・アームと、該ターレット・アームを回動させるターレット・アーム駆動装置とを備え、前記新ウェブロールの帯状体を前記旧ウェブロールの帯状体に紙継ぎして連続して帯状体を供給する帯状体連続供給装置において、本機駆動前に、前記ターレット・アーム駆動装置を駆動してターレット・アームを回動させ、新ウェブロールを紙継ぎ待機位置に移動させる制御装置を備えたことを特徴とする。
【００１３】
また、前記新ウェブロールの帯状体を前記旧ウェブロールの帯状体に押し付ける押し付け部材と前記旧ウェブロールの帯状体を切断する切断部材とを有する紙継ぎユニットを備え、前記制御装置は、本機駆動前に前記紙継ぎユニットを前記紙継ぎ待機位置に移動させることを特徴とする。
【００１４】
また、前記新ウェブロールを回転させる新ウェブロール駆動手段を備え、前記制御装置は、本機が回転し始めた時、前記新ウェブロールの周速が前記旧ウェブロールから巻き出される帯状体の搬送速度と同じになるように前記新ウェブロール駆動手段を駆動することを特徴とする。
【００１５】
また、前記制御装置は、本機の回転速度が予め定められた回転速度以上の時、前記新ウェブロールを紙継ぎ待機位置に移動させると共に前記紙継ぎユニットを紙継ぎ待機位置に移動させ、更には前記新ウェブロールの周速が前記旧ウェブロールから巻き出される帯状体の搬送速度と同じになるように前記新ウェブロール駆動手段を駆動することを特徴とする。
【発明の効果】
【００１６】
前記構成の帯状体連続供給方法及び装置によれば、新たな印刷の開始時に旧ウェブロールとして小径の残ウェブロールも使用できるので印刷資材の有効利用が図れると共に、紙継ぎ動作時間の短縮により生産性の向上が図れる。
【発明を実施するための最良の形態】
【００１７】
以下、本発明に係る帯状体連続供給方法及び装置を実施例により図面を用いて詳細に説
明する。
【実施例】
【００１８】
図１は本発明の一実施例を示す給紙装置（帯状体連続供給装置）の概略構成図、図２は
同じくオフセット輪転印刷機の概観図、図３（ａ）〜図３（ｃ）は同じく制御ブロック図、図４（ａ）〜図４（ｃ），図５（ａ）〜図５（ｄ），図６（ａ）〜図６（ｃ），図７（ａ）〜図７（ｄ）は同じく紙継ぎ制御のフロー図である。
【００１９】
図２に示すように、オフセット輪転印刷機においては、給紙装置（帯状体連続供給装置）１から連続的に供給されるウェブ（帯状体）Ｗは、先ず各印刷ユニット２を通過する際に、各種の印刷が施され、次いで乾燥機３を通過する際に、加熱されて乾燥させられ、引き続き、冷却装置４を通過する際に冷却させられ、その後、ウェブパス装置５及びドラッグ装置６を通過する際、テンション制御又は方向の変更が行なわれた後、折機７により所定の形状に断裁され折り畳まれることになる。
【００２０】
前記給紙装置１は、図１に示すように、装置本体１０にターレット・アーム１１がその中心部において旋回自在に軸支されると共にこのターレット・アーム１１の両端（Ａ側及びＢ側）にはそれぞれ新，旧巻取紙（新，旧ウェブロール）１２，１３が装着され、旧巻取紙１３からウェブＷが巻き出されて終りに近づくと、新巻取紙１２からのウェブＷを連続してつなぎ、印刷ユニット２へ送る、所謂自動紙継ぎユニットである。図１に示す状態は、現在巻出し中の旧巻取紙１３が終りに近づき、ターレット・アーム１１を旋回させて、次の新巻取紙１２を紙継ぎ待機位置まで移動させた状態である。
【００２１】
前記ターレット・アーム１１は、図３（ｂ）に示すように、ターレット・アーム旋回用モータ（ターレット・アーム駆動装置）１４により旋回され、その旋回角度がターレット・アーム旋回用モータ用ロータリ・エンコーダ１５で検出されるようになっている。また、ターレット・アーム１１内には、新，旧巻取紙１２，１３を駆動回転させるプリドライブ装置が組み込まれており、このプリドライブ装置により、紙継ぎ待機位置に移動した新巻取紙１２の表面速度（周速）がウェブＷの走行速度（搬送速度）と同速となるまで、予め加速されるようになっている。 図３（ｂ）及び図３（ｃ）においては、新巻取紙１２を駆動するためのプリドライブ装置（新ウェブロール駆動装置）としてＡ側新巻取紙駆動用モータ１６とＢ側新巻取紙駆動用モータ１８が設けられ、それぞれの回転速度がＡ側新巻取紙駆動用モータ用ロータリ・エンコーダ１７とＢ側新巻取紙駆動用モータ用ロータリ・エンコーダ１９で検出されるようになっている。また、旧巻取紙１３の巻出し速度が旧巻取紙の巻き出し速度測定用ロータリ・エンコーダ８１で検出されるようになっている。
【００２２】
前記装置本体１０には、紙継ぎユニット（ペースタユニット）２０が紙継ぎユニット着脱用エア・シリンダ２９により揺動可能に設けられている。この紙継ぎユニット２０は、紙継ぎ待機位置に移動した新巻取紙１２に対して、図１中二点鎖線で示す脱位置から、同図中実線で示す着位置まで、揺動することができる。紙継ぎユニット２０が着位置へ移動した状態においては、旧巻取紙１３から巻き出されたウェブＷは、新巻取紙１２と紙継ぎユニット２０との隙間を通り、複数のロール２２，２３を経て印刷ユニット２へ繰り出される。
【００２３】
前記紙継ぎユニット２０には、ウェブＷを案内する固定ロール２４が設けられると共に、圧接ローラ（押し付け部材）２５とカッター（切断部材）２６とがそれぞれ進退可能に設けられる。図３（ａ）に示すように、圧接ローラ２５は圧接ローラ駆動用エア・シリンダ２７により、カッター２６はカッター着脱用エア・シリンダ２８によりそれぞれ駆動されるようになっている。また、紙継ぎユニット２０には、新巻取紙１２のウェブ先端における両面接着テープ３０（図１参照）を検出する糊位置検出用センサ３１が装着される。
【００２４】
また、装置本体１０には、図３（ａ）に示すように、新巻取紙停止位置検出用センサ３２と新巻取紙径測定用距離計測器３３が装着される。前記新巻取紙停止位置検出用センサ３２は、ターレット・アーム１１による新巻取紙１２の搬送経路を横切る方向に設けられて紙継ぎ待機位置で新巻取紙１２の外径を検出するもので、透過型の光電センサ等が採用される。新巻取紙径測定用距離計測器３３は、新巻取紙１２が径測定位置に停止した時に新巻取紙１２の周面に対向する位置に設けられて新巻取紙１２周面までの距離を超音波や光（レーザ）を利用して測定するものである。
【００２５】
そして、前記ターレット・アーム旋回用モータ１４、Ａ側新巻取紙駆動用モータ１６、Ｂ側新巻取紙駆動用モータ１８、圧接ローラ駆動用エア・シリンダ２７、カッター着脱用エア・シリンダ２８及び紙継ぎユニット着脱用エア・シリンダ２９は、図３（ａ）〜図３（ｃ）に示すように、制御装置４０により駆動制御される。
【００２６】
前記制御装置４０は、ＣＰＵ４１とＲＯＭ４２とＲＡＭ４３と各入出力装置４４ａ〜４４ｎとインタフェース４５とが共にＢＵＳ線７４で接続されてなる。また、このＢＵＳ線７４には、新巻取紙記憶用メモリ４６，Ａ側の新巻取紙径測定位置記憶用メモリ４７，Ｂ側の新巻取紙径測定位置記憶用メモリ４８，新巻取紙径測定位置記憶用メモリ４９，ターレット・アーム旋回位置測定用カウンタの値記憶用メモリ５０，新巻取紙径測定用距離計測器の出力記憶用メモリ５１，新巻取紙径記憶用メモリ５２，ターレット・アーム幅記憶用メモリ５３，Ａ側の紙継ぎ待機基準位置記憶用メモリ５４，Ｂ側の紙継ぎ待機基準位置記憶用メモリ５５，新巻取紙の紙継ぎ待機位置記憶用メモリ５６，印刷機の回転速度測定用ロータリ・エンコーダに接続されたＡ/Ｄ変換器の出力記憶用メモリ５８，現在の印刷機の回転速度記憶用メモリ５９，旧巻取紙の巻き出し速度測定用ロータリ・エンコーダに接続されたＡ／Ｄ変換器の出力記憶用メモリ６０，旧巻取紙の巻き出し速度記憶用メモリ６１，紙継ぎ時の新巻取紙駆動用モータの回転速度記憶用メモリ６２，Ａ側新巻取紙駆動用モータ用ロータリ・エンコーダに接続されたＡ／Ｄ変換器の出力記憶用メモリ６３，Ｂ側新巻取紙駆動用モータ用ロータリ・エンコーダに接続されたＡ/Ｄ変換器の出力記憶用メモリ６４，現在の新巻取紙駆動用モータの回転速度記憶用メモリ６５，圧接ローラ着タイミング記憶用メモリ６６，カッター動作タイミング記憶用メモリ６７，Ａ側新巻取紙回転位置測定用カウンタの値記憶用メモリ６８，Ｂ側新巻取紙回転位置測定用カウンタの値記憶用メモリ６９，Ａ側の運転位置記憶用メモリ７０，Ｂ側の運転位置記憶用メモリ７１，新巻取紙運転位置記憶用メモリ７２，紙継ぎ時の印刷機速度記憶用メモリ７３が接続される。
【００２７】
入出力装置４４ａには、新巻取紙（残巻取紙）１２がターレット・アーム１１のＡ側に有る場合に選択される新巻取紙選択ボタン（１）３４と新巻取紙（残巻取紙）１２がターレット・アーム１１のＢ側に有る場合に選択される新巻取紙選択ボタン（２）３５と小径モード・スイッチ３６とキーボード等の入力装置３７とＣＲＴやディスプレイ等の表示装置３８とプリンタやフロッピー（登録商標）ディスクドライブ等の出力装置３９とが接続される。
【００２８】
また、入出力装置４４ｂには、新巻取紙径測定用距離計測器３３がＡ／Ｄ変換器７５を介して接続される。また、入出力装置４４ｃには、糊位置検出用センサ３１と新巻取紙停止位置検出用センサ３２とが接続される。また、入出力装置４４ｄには、圧接ローラ駆動用エア・シリンダ２７（のバルブ２７ａ）とカッター着脱用エア・シリンダ２８（のバルブ２８ａ）と紙継ぎユニット着脱用エア・シリンダ２９（のバルブ２９ａ）とが接続される。
【００２９】
また、入出力装置４４ｅには、印刷機の回転速度測定用ロータリ・エンコーダ７８がＡ／Ｄ変換器７６及びＦ／Ｖ変換器７７を介して接続される。また、入出力装置４４ｆには、旧巻取紙の巻き出し速度測定用ロータリ・エンコーダ８１がＡ／Ｄ変換器７９及びＦ／Ｖ変換器８０を介して接続される。
【００３０】
また、入出力装置４４ｇには、ターレット・アーム旋回用モータ１４がターレット・アーム旋回用モータ・ドライバ８２を介して接続される。また、入出力装置４４ｈには、ターレット・アーム旋回用モータ用ロータリ・エンコーダ１５がターレット・アーム旋回位置測定用カウンタ８３を介して接続される。そして、ターレット・アーム旋回用モータ用ロータリ・エンコーダ１５が、ターレット・アーム旋回用モータ・ドライバ８２にも接続される。
【００３１】
また、入出力装置４４ｉには、Ａ側新巻取紙駆動用モータ１６がＡ側新巻取紙駆動用モータ・ドライバ８４を介して接続される。また、入出力装置４４ｊには、Ａ側新巻取紙駆動用モータ用ロータリ・エンコーダ１７がＡ／Ｄ変換器８５及びＦ／Ｖ変換器８６を介して接続される。また、入出力装置４４ｋには、Ａ側新巻取紙回転位置測定用カウンタ８７が接続される。そして、Ａ側新巻取紙駆動用モータ用ロータリ・エンコーダ１７が、Ａ側新巻取紙駆動用モータ・ドライバ８４にも接続される。
【００３２】
また、入出力装置４４ｌには、Ｂ側新巻取紙駆動用モータ１８がＢ側新巻取紙駆動用モータ・ドライバ８８を介して接続される。また、入出力装置４４ｍには、Ｂ側新巻取紙駆動用モータ用ロータリ・エンコーダ１９がＡ／Ｄ変換器８９及びＦ／Ｖ変換器９０を介して接続される。また、入出力装置４４ｎには、Ｂ側新巻取紙回転位置測定用カウンタ９１が接続される。そして、Ｂ側新巻取紙駆動用モータ用ロータリ・エンコーダ１９が、Ｂ側新巻取紙駆動用モータ・ドライバ８８にも接続される。また、前述した糊位置検出用センサ３１とＡ側新巻取紙回転位置測定用カウンタ８７及びＢ側新巻取紙回転位置測定用カウンタ９１とが接続される。
【００３３】
インタフェース４５には、印刷機制御装置９２と残紙長計９３が接続される。この残紙長計９３は、旧巻取紙１３の残紙長を常に監視し、現在のウェブ走行速度で巻き出すと残り何分で紙継ぎが必要かを計算して、残り時間が準備時間以下になった時に紙継ぎ準備開始信号を出力する演算装置で、その具体的な構成は実用新案登録第２５６８７４３号公報で既に公知であるので、ここでは詳しい説明は省略する。
【００３４】
そして、本制御装置４０は、紙継ぎ（動作）制御において、小径モードが設定され、該小径モードが選択された場合には、印刷開始前に新巻取紙（残巻取紙）１２を紙継ぎ待機位置まで移動（ターレット・アーム１１を先行旋回）させると共に紙継ぎユニット２０を紙継ぎ待機位置に移動させて無駄な紙送りを無くす一方、本機が緩動（例えば８ｒｐｍ）以上になったらプリドライブ装置（Ａ側新巻取紙駆動用モータ１６又はＢ側新巻取紙駆動用モータ１８）で巻き出されている旧巻取紙１３の搬送速度と新巻取紙（残巻取紙）１２の周速が同じになるように新巻取紙（残巻取紙）１２を回転させ、同期したらすぐに紙継ぎが行なえるようにして、小径の新巻取紙（残巻取紙）１２も使用できるようになっている。
【００３５】
このような紙継ぎ制御を図４（ａ）〜図４（ｃ），図５（ａ）〜図５（ｄ），図６（ａ）〜図６（ｃ），図７（ａ）〜図７（ｄ）のフロー図にしたがって詳述する。
【００３６】
先ず、ステップＰ１で新巻取紙選択ボタン（１）３４がＯＮか否かを判断し、可であればステップＰ２で新巻取紙記憶用メモリ４６に、１を上書きした後、ステップＰ３で新巻取紙選択ボタン（２）３５がＯＮか否かを判断する。ステップＰ１で否であればステップＰ３に移行する。
【００３７】
次に、ステップＰ３で可であればステップＰ４で新巻取紙記憶用メモリ４６に、２を上書きした後、ステップＰ５で印刷機制御装置９２より印刷機駆動信号が送信されたか否かを判断する。ステップＰ５で可であれば後述するステップＰ８４に移行し、否であればステップＰ６で小径モード・スイッチ３６がＯＮか否かを判断する。
【００３８】
次に、ステップＰ６で可であればステップＰ７で新巻取紙記憶用メモリ４６の値を読み込み、否であればステップＰ１に戻る。次に、ステップＰ８で新巻取紙記憶用メモリ４６の値が１か否かを判断し、可であればステップＰ９でＡ側の新巻取紙径測定位置をメモリ４７より読み込み、新巻取紙径測定位置用メモリ４９に記憶した後、ステップＰ１０で新巻取紙径測定位置用メモリ４９より新巻取紙径測定位置を読み込む。ステップＰ８で否であればステップＰ１１でＢ側の新巻取紙径測定位置をメモリ４８より読み込み、新巻取紙径測定位置用メモリ４９に記憶した後、前述したステップＰ１０に移行する。
【００３９】
次に、ステップＰ１２でターレット・アーム旋回用モータ・ドライバ８２に正転指令を出力した後、ステップＰ１３でターレット・アーム旋回位置測定用カウンタ８３よりその値を読み込み、メモリ５０に記憶し、次いで、ステップＰ１４でターレット・アーム旋回位置測定用カウンタ８３の値が新巻取紙径測定位置に相当する値に達したらステップＰ１５で新巻取紙径測定用距離計測器３３の出力を読み込み、メモリ５１に記憶する。
【００４０】
次に、ステップＰ１６で新巻取紙径測定用距離計測器３３の出力より新巻取紙径を演算し、メモリ５２に記憶した後、ステップＰ１７でターレット・アーム幅をメモリ５３より読み込み、次いで、ステップＰ１８で新巻取紙径≧ターレット・アーム幅か否かを判断する。
【００４１】
次に、ステップＰ１８で可であればステップＰ１９で新巻取紙停止位置検出用センサ３２の出力を読み込んだ後、ステップＰ２０で新巻取紙停止位置検出用センサ３２の出力がＯＮされたら、ステップＰ２１でターレット・アーム旋回用モータ・ドライバ８２に停止指令を出力する。
【００４２】
次に、ステップＰ１８で否であればステップＰ２２で新巻取紙記憶用メモリ４６の値を読み込んだ後、ステップＰ２３で新巻取紙記憶用メモリ４６の値が１か否かを判断し、可であればステップＰ２４でＡ側の紙継ぎ待機基準位置をメモリ５４より読み込む。
【００４３】
次に、ステップＰ２５で新巻取紙径用メモリ５２より新巻取紙径を読み込んだ後、ステップＰ２６でＡ側の紙継ぎ待機基準位置及び新巻取紙径より新巻取紙の紙継ぎ待機位置を演算し、メモリ５６に記憶する。次いで、ステップＰ２７でターレット・アーム旋回位置測定用カウンタ８３よりその値を読み込み、メモリ５０に記憶する。
【００４４】
次に、ステップＰ２３で否であればステップＰ２８でＢ側の紙継ぎ待機基準位置をメモリ５５より読み込んだ後、ステップＰ２９で新巻取紙径用メモリ５２より新巻取紙径を読み込む。次いで、ステップＰ３０でＢ側の紙継ぎ待機基準位置及び新巻取紙径より新巻取紙の紙継ぎ待機位置を演算し、メモリ５６に記憶した後、前述したステップＰ２７に移行する。
【００４５】
次に、ステップＰ３１でターレット・アーム旋回位置測定用カウンタ８３の値が新巻取紙の紙継ぎ待機位置に相当する値に達したら、前述したステップＰ２１に移行する。
【００４６】
次に、ステップＰ３２で紙継ぎユニット着脱用エア・シリンダ用バルブ２９ａに着信号が出力されたら、ステップＰ３３で印刷機の回転速度測定用ロータリ・エンコーダ７８に接続されたＡ／Ｄ変換器７６の出力を読み込み、メモリ５８に記憶する。
【００４７】
次に、ステップＰ３４で印刷機の回転速度測定用ロータリ・エンコーダ７８に接続されたＡ／Ｄ変換器７６の出力より現在の印刷機の回転速度を演算し、メモリ５９に記憶した後、ステップＰ３６で現在の印刷機の回転速度＞０か否か、つまり、印刷機が回転し始めたかどうかを判断し、可であればステップＰ３６に移行し、否であればステップＰ３４に戻る。
【００４８】
次に、ステップＰ３６で新巻取紙径用メモリ５２より新巻取紙径を読み込んだ後、ステップＰ３７で旧巻取紙の巻き出し速度測定用ロータリ・エンコーダ８１に接続されたＡ／Ｄ変換器７９の出力を読み込み、メモリ６０に記憶する。次いで、ステップＰ３８で旧巻取紙の巻き出し速度測定用ロータリ・エンコーダ８１に接続されたＡ／Ｄ変換器７９の出力より旧巻取紙の巻き出し速度を演算し、メモリ６１に記憶する。
【００４９】
次に、ステップＰ３９で旧巻取紙の巻き出し速度及び新巻取紙径より紙継ぎ時の新巻取紙駆動用モータの回転速度を演算し、メモリ６２に記憶した後、ステップＰ４０で新巻取紙記憶用メモリ４６の値を読み込む。次いで、ステップＰ４１で新巻取紙記憶用メモリ４６の値が１か否かを判断する。
【００５０】
次に、ステップＰ４１で可であればステップＰ４２でＡ側新巻取紙駆動用モータ・ドライバ８４に紙継ぎ時の新巻取紙駆動用モータの回転速度指令を出力した後、ステップＰ４３でＡ側新巻取紙駆動用モータ用ロータリ・エンコーダ１７に接続されたＡ／Ｄ変換器８５の出力を読み込み、メモリ６３に記憶する。次いで、ステップＰ４４でＡ側新巻取紙駆動用モータ用ロータリ・エンコーダ１７に接続されたＡ／Ｄ変換器８５の出力より現在の新巻取紙駆動用モータの回転速度を演算し、メモリ６５に記憶した後、ステップＰ４５で現在のＡ側新巻取紙駆動用モータ１６の回転速度＝紙継ぎ時のＡ側新巻取紙駆動用モータ１６の回転速度か否かを判断する。ステップＰ４５で可であればステップＰ４６に移行し、否であればステップＰ４３に戻る。
【００５１】
次に、ステップＰ４１で否であればステップＰ４７でＢ側新巻取紙駆動用モータ・ドライバ８８に紙継ぎ時の新巻取紙駆動用モータの回転速度指令を出力した後、ステップＰ４８でＢ側新巻取紙駆動用モータ用ロータリ・エンコーダ１９に接続されたＡ／Ｄ変換器８９の出力を読み込み、メモリ６４に記憶する。む。次いで、ステップＰ４９でＢ側新巻取紙駆動用モータ用ロータリ・エンコーダ１９に接続されたＡ／Ｄ変換器８９の出力より現在の新巻取紙駆動用モータの回転速度を演算し、メモリ６５に記憶した後、ステップＰ５０で現在のＢ側新巻取紙駆動用モータ１８の回転速度＝紙継ぎ時のＢ側新巻取紙駆動用モータ１８の回転速度か否かを判断する。ステップＰ５０で可であれば前述したステップＰ４６に移行し、否であればステップＰ４８に戻る。
【００５２】
次に、ステップＰ４６で残紙長計９３から紙継ぎ信号が送信されると、ステップＰ５１で糊位置検出センサ３１の出力を読み込み、次いで、ステップＰ５２で糊位置検出用センサ３１の出力がＯＮされると、ステップＰ５３新巻取紙記憶用メモリ４６の値を読み込んだ後、ステップＰ５４で新巻取紙記憶用メモリ４６の値が１か否かを判断する。
【００５３】
次に、ステップＰ５４で可であればステップＰ５５で圧接ローラ着タイミングをメモリ６６より読み込んだ後、ステップＰ５６でＡ側新巻取紙回転位置測定用カウンタ８７よりその値を読み込み、メモリ６８に記憶し、次いで、ステップＰ５７でＡ側新巻取紙回転位置測定用カウンタ８７の値が圧接ローラ着タイミングに相当する値に達したら、ステップＰ５８で圧接ローラ着脱用エア・シリンダ用バルブ２７ａに着信号を出力する。
【００５４】
次に、ステップＰ５９でカッター動作タイミングをメモリ６７より読み込んだ後、ステップＰ６０でＡ側新巻取紙回転位置測定用カウンタ８７よりその値を読み込み、メモリ６８に記憶し、次いで、ステップＰ６１でＡ側新巻取紙回転位置測定用カウンタ８７の値がカッター動作タイミングに相当する値に達したら、ステップＰ６２でカッター着脱用エア・シリンダ用バルブ２８ａに着信号を出力した後、ステップＰ６３で圧接ローラ着脱用エア・シリンダ用バルブ２７ａに脱信号を出力する。
【００５５】
次に、ステップＰ５４で否であればステップＰ６４で圧接ローラ着タイミングをメモリ６６より読み込んだ後、ステップＰ６５でＢ側新巻取紙回転位置測定用カウンタ９１よりその値を読み込み、メモリ６９に記憶し、次いで、ステップＰ６６でＢ側新巻取紙回転位置測定用カウンタ９１の値が圧接ローラ着タイミングに相当する値に達したら、ステップＰ６７で圧接ローラ着脱用エア・シリンダ用バルブ２７ａに着信号を出力する。
【００５６】
次に、ステップＰ６８でカッター動作タイミングをメモリ６７より読み込んだ後、ステップＰ６９でＢ側新巻取紙回転位置測定用カウンタ９１よりその値を読み込み、メモリ６９に記憶し、次いで、ステップＰ７０でＢ側新巻取紙回転位置測定用カウンタ９１の値がカッター動作タイミングに相当する値に達したら、ステップＰ７１でカッター着脱用エア・シリンダ用バルブ２８ａに着信号を出力した後、前述したステップＰ６３に移行する。
【００５７】
次に、ステップＰ７２でカッター着脱用エア・シリンダ用バルブ２８ａに脱信号を出力した後、ステップＰ７３で紙継ぎユニット着脱用エア・シリンダ用バルブ２９ａに脱信号を出力し、次いで、ステップＰ７４で新巻取紙記憶用メモリ４６の値を読み込んだ後、ステップＰ７５で新巻取紙記憶用メモリ４６の値が１か否かを判断する。
【００５８】
次に、ステップＰ７５で可であればステップＰ７７でＡ側の新巻取紙運転位置をメモリ７０より読み込み、新巻取紙運転位置記憶用メモリ７２に記憶した後、ステップＰ７７で新巻取紙運転位置記憶用メモリ７２より新巻取紙運転位置を読み込む。ステップＰ７５で否であればステップＰ７８でＢ側の新巻取紙運転位置をメモリ７１より読み込み、新巻取紙運転位置記憶用メモリ７２に記憶した後、前述したステップＰ７７に移行する。
【００５９】
次に、ステップＰ７９でターレット・アーム旋回用モータ・ドライバ８２に正転指令を出力した後、ステップＰ８０でターレット・アーム旋回位置測定用カウンタ８３よりその値を読み込み、メモリ５０に記憶し、次いで、ステップＰ８１でターレット・アーム旋回位置測定用カウンタ８３の値が新巻取紙運転位置に相当する値に達したら、ステップＰ８２でターレット・アーム旋回用モータ・ドライバ８２に停止指令を出力してステップＰ１に戻る。
【００６０】
一方、前述したステップＰ５で可であればステップＰ８３で紙継ぎ時の印刷機速度をメモリ７３より読み込んだ後、ステップＰ８４で印刷機の回転速度測定用ロータリ・エンコーダ７８に接続されたＡ／Ｄ変換器７６の出力を読み込み、メモリ５８に記憶し、次いで、ステップＰ８５で印刷機の回転速度測定用ロータリ・エンコーダ７８に接続されたＡ／Ｄ変換器７６の出力より現在の印刷機の回転速度を演算し、メモリ５９に記憶する。
【００６１】
次に、ステップＰ８６で現在の印刷機の回転速度≧紙継ぎ時の印刷機の速度（予め定められた速度で、低速）か否かを判断し、可であればステップＰ８７で残紙長計９３から紙継ぎ信号が送信されたら、ステップＰ８８に移行する。ステップＰ８６で否であればステップＰ８４に戻る。
【００６２】
次に、ステップＰ８８で新巻取紙記憶用メモリ４６の値が１か否かを判断し、可であればステップＰ８９でＡ側の新巻取紙径測定位置をメモリ４７より読み込み、新巻取紙径測定位置用メモリ４９に記憶した後、ステップＰ９０で新巻取紙径測定位置用メモリ４９より新巻取紙径測定位置を読み込む。ステップＰ８８で否であればステップＰ９１でＢ側の新巻取紙径測定位置をメモリ４８より読み込み、新巻取紙径測定位置用メモリ４９に記憶した後、前述したステップＰ９０に移行する。
【００６３】
次に、ステップＰ９２でターレット・アーム旋回用モータ・ドライバ８２に正転指令を出力した後、ステップＰ９３でターレット・アーム旋回位置測定用カウンタ８３よりその値を読み込み、メモリ５０に記憶し、次いで、ステップＰ９４でターレット・アーム旋回位置測定用カウンタ８３の値が新巻取紙径測定位置に相当する値に達したらステップＰ９５で新巻取紙径測定用距離計測器３３の出力を読み込み、メモリ５１に記憶する。
【００６４】
次に、ステップＰ９６で新巻取紙径測定用距離計測器３３の出力より新巻取紙径を演算し、メモリ５２に記憶した後、ステップＰ９７でターレット・アーム幅をメモリ５３より読み込み、次いで、ステップＰ９８で新巻取紙径≧ターレット・アーム幅か否かを判断する。
【００６５】
次に、ステップＰ９８で可であればステップＰ９９で新巻取紙停止位置検出用センサ３２の出力を読み込んだ後、ステップＰ１００で新巻取紙停止位置検出用センサ３２の出力がＯＮされたら、ステップＰ１０１でターレット・アーム旋回用モータ・ドライバ８２に停止指令を出力する。
【００６６】
次に、ステップＰ９８で否であればステップＰ１０２で新巻取紙記憶用メモリ４６の値を読み込んだ後、ステップＰ１０３で新巻取紙記憶用メモリ４６の値が１か否かを判断し、可であればステップＰ１０４でＡ側の紙継ぎ待機基準位置をメモリ５４より読み込む。
【００６７】
次に、ステップＰ１０５で新巻取紙径記憶用メモリ５２より新巻取紙径を読み込んだ後、ステップＰ１０６でＡ側の紙継ぎ待機基準位置及び新巻取紙径より新巻取紙の紙継ぎ待機位置を演算し、メモリ５６に記憶する。次いで、ステップＰ１０７でターレット・アーム旋回位置測定用カウンタ８３よりその値を読み込み、メモリ５０に記憶する。
【００６８】
次に、ステップＰ１０３で否であればステップＰ１０８でＢ側の紙継ぎ待機基準位置をメモリ５５より読み込んだ後、ステップＰ１０９で新巻取紙径記憶用メモリ５２より新巻取紙径を読み込む。次いで、ステップＰ１１０でＢ側の紙継ぎ待機基準位置及び新巻取紙径より新巻取紙の紙継ぎ待機位置を演算し、メモリ５６に記憶した後、前述したステップＰ１０７に移行する。
【００６９】
次に、ステップＰ１１１でターレット・アーム旋回位置測定用カウンタ８３の値が新巻取紙の紙継ぎ待機位置に相当する値に達したら、前述したステップＰ１０１に移行する。
【００７０】
次に、ステップＰ１１２で紙継ぎユニット着脱用エア・シリンダ用バルブ２９ａに着信号を出力した後、ステップＰ１１３で新巻取紙径記憶用メモリ５２より新巻取紙径を読み込み、次いで、ステップＰ１１４で旧巻取紙の巻き出し速度測定用ロータリ・エンコーダ８１に接続されたＡ／Ｄ変換器７９の出力を読み込み、メモリ６０に記憶した後、ステップＰ１１５で旧巻取紙の巻き出し速度測定用ロータリ・エンコーダ８１に接続されたＡ／Ｄ変換器７９の出力より旧巻取紙の巻き出し速度を演算し、メモリ６１に記憶する。
【００７１】
次に、ステップＰ１１６で旧巻取紙の巻き出し速度及び新巻取紙径より紙継ぎ時の新巻取紙駆動用モータの回転速度を演算し、メモリ６２に記憶した後、ステップＰ１１７で新巻取紙記憶用メモリ４６の値を読み込む。次いで、ステップＰ１１８で新巻取紙記憶用メモリ４６の値が１か否かを判断する。
【００７２】
次に、ステップＰ１１８で可であればステップＰ１１９でＡ側新巻取紙駆動用モータ・ドライバ８４に紙継ぎ時の新巻取紙駆動用モータの回転速度指令を出力した後、ステップＰ１２０でＡ側新巻取紙駆動用モータ用ロータリ・エンコーダ１７に接続されたＡ／Ｄ変換器８５の出力を読み込み、メモリ６３に記憶する。次いで、ステップＰ１２１でＡ側新巻取紙駆動用モータ用ロータリ・エンコーダ１７に接続されたＡ／Ｄ変換器８５の出力より現在の新巻取紙駆動用モータの回転速度を演算し、メモリ６５に記憶した後、ステップＰ１２２で現在のＡ側新巻取紙駆動用モータ１６の回転速度＝紙継ぎ時のＡ側新巻取紙駆動用モータ１６の回転速度か否かを判断する。ステップＰ１２２で可であればステップＰ１２３に移行し、否であればステップＰ１２０に戻る。
【００７３】
次に、ステップＰ１１８で否であればステップＰ１２４でＢ側新巻取紙駆動用モータ・ドライバ８８に紙継ぎ時の新巻取紙駆動用モータの回転速度指令を出力した後、ステップＰ１２５でＢ側新巻取紙駆動用モータ用ロータリ・エンコーダ１９に接続されたＡ／Ｄ変換器８９の出力を読み込み、メモリ６４に記憶する。次いで、ステップＰ１２６でＢ側新巻取紙駆動用モータ用ロータリ・エンコーダ１９に接続されたＡ／Ｄ変換器８９の出力より現在のＢ側新巻取紙駆動用モータ１８の回転速度を演算し、メモリ６５に記憶した後、ステップＰ１２７で現在の新巻取紙駆動用モータの回転速度＝紙継ぎ時のＢ側新巻取紙駆動用モータ１８の回転速度か否かを判断する。ステップＰ１２７で可であれば前述したステップＰ１２３に移行し、否であればステップＰ１２５に戻る。
【００７４】
次に、ステップＰ１２３で糊位置検出センサ３１の出力を読み込んだ後、ステップＰ１２８で糊位置検出用センサ３１の出力がＯＮされると、ステップＰ１２９で新巻取紙記憶用メモリ４６の値を読み込み、次いで、ステップＰ１３０で新巻取紙記憶用メモリ４６の値が１か否かを判断する。
【００７５】
次に、ステップＰ１３０で可であればステップＰ１３１で圧接ローラ着タイミングをメモリ６６より読み込んだ後、ステップＰ１３２でＡ側新巻取紙回転位置測定用カウンタ８７よりその値を読み込み、メモリ６８に記憶し、次いで、ステップＰ１３３でＡ側新巻取紙回転位置測定用カウンタ８７の値が圧接ローラ着タイミングに相当する値に達したら、ステップＰ１３４で圧接ローラ着脱用エア・シリンダ用バルブ２７ａに着信号を出力する。
【００７６】
次に、ステップＰ１３５でカッター動作タイミングをメモリ６７より読み込んだ後、ステップＰ１３６でＡ側新巻取紙回転位置測定用カウンタ８７よりその値を読み込み、メモリ６８に記憶し、次いで、ステップＰ１３７でＡ側新巻取紙回転位置測定用カウンタ８７の値がカッター動作タイミングに相当する値に達したら、ステップＰ１３８でカッター着脱用エア・シリンダ用バルブ２８ａに着信号を出力した後、ステップＰ１３９で圧接ローラ着脱用エア・シリンダ用バルブ２７ａに脱信号を出力する。
【００７７】
次に、ステップＰ１３０で否であればステップＰ１４０で圧接ローラ着タイミングをメモリ６６より読み込んだ後、ステップＰ１４１でＢ側新巻取紙回転位置測定用カウンタ９１よりその値を読み込み、メモリ６９に記憶し、次いで、ステップＰ１４２でＢ側新巻取紙回転位置測定用カウンタ９１の値が圧接ローラ着タイミングに相当する値に達したら、ステップＰ１４３で圧接ローラ着脱用エア・シリンダ用バルブ２７ａに着信号を出力する。
【００７８】
次に、ステップＰ１４４でカッター動作タイミングをメモリ６７より読み込んだ後、ステップＰ１４５でＢ側新巻取紙回転位置測定用カウンタ９１よりその値を読み込み、メモリ６９に記憶し、次いで、ステップＰ１４６でＢ側新巻取紙回転位置測定用カウンタ９１の値がカッター動作タイミングに相当する値に達したら、ステップＰ１４７でカッター着脱用エア・シリンダ用バルブ２８ａに着信号を出力した後、前述したステップＰ１３９に移行する。
【００７９】
次に、ステップＰ１４８でカッター着脱用エア・シリンダ用バルブ２８ａに脱信号を出力した後、ステップＰ１４９で紙継ぎユニット着脱用エア・シリンダ用バルブ２９ａに脱信号を出力し、次いで、ステップＰ１５０で新巻取紙記憶用メモリ４６の値を読み込んだ後、ステップＰ１５１で新巻取紙記憶用メモリ４６の値が１か否かを判断する。
【００８０】
次に、ステップＰ１５１で可であればステップＰ１５２でＡ側の新巻取紙運転位置をメモリ７０より読み込み、新巻取紙運転位置記憶用メモリ７２に記憶した後、ステップＰ１５３で新巻取紙運転位置記憶用メモリ７２より新巻取紙運転位置を読み込む。ステップＰ１５１で否であればステップＰ１５４でＢ側の新巻取紙運転位置をメモリ７１より読み込み、新巻取紙運転位置記憶用メモリ７２に記憶した後、前述したステップＰ１５３に移行する。
【００８１】
次に、ステップＰ１５５でターレット・アーム旋回用モータ・ドライバ８２に正転指令を出力した後、ステップＰ１５６でターレット・アーム旋回位置測定用カウンタ８３よりその値を読み込み、メモリ５０に記憶し、次いで、ステップＰ１５７でターレット・アーム旋回位置測定用カウンタ８３の値が新巻取紙運転位置に相当する値に達したら、ステップＰ１５８でターレット・アーム旋回用モータ・ドライバ８２に停止指令を出力してステップＰ１に戻る。
【００８２】
このようにして、本実施例では、ターレット・アーム１１の両端部に支持した新，旧巻取紙１２，１３から巻き出されるウェブＷを連続して印刷ユニット２に供給する自動紙継ぎ装置を備えた給紙装置１において、本機駆動前に、ターレット・アーム旋回用モータ１４を駆動してターレット・アーム１１を回動させ、新巻取紙（残巻取紙）１２を紙継ぎ待機位置に移動させることができるようにしたので、新たな印刷の開始時に旧ウェブロールとして小径の残巻取紙も残紙無しによる本機停止を招来することなく安定して使用でき、依って印刷資材の有効利用が図れると共に、紙継ぎ動作時間の短縮により生産性の向上が図れる。
【００８３】
また、圧接ローラ２５とカッター２６とを有する紙継ぎユニット２０も、本機駆動前に、紙継ぎ待機位置に移動させることができるので、紙継ぎ動作時間のより短縮化が図れ、前述した本実施例の作用・効果が一層助長される。
【００８４】
また、前記新巻取紙１２を回転させるＡ側新巻取紙駆動用モータ１６及びＢ側新巻取紙駆動用モータ１８により、本機回転速度が緩動速度以上になった時、前記紙継ぎ待機位置に移動された新巻取紙（残巻取紙）１２の周速が旧巻取紙から巻き出されるウェブＷの搬送速度と同じになるように制御されるので、紙継ぎ動作時間のより一層の短縮化が図れ、前述した本実施例の作用・効果がより一層助長される。
【産業上の利用可能性】
【００８５】
本発明に係る帯状体連続供給方法及び装置は、オフセット輪転印刷機に限らず、コルゲータ及びラミネータ等の機械におけるウェブ材供給装置にも適用することができる。
【図面の簡単な説明】
【００８６】
【図１】本発明の一実施例を示す給紙装置（帯状体連続供給装置）の概略構成図である。
【図２】同じくオフセット輪転印刷機の概観図である。
【図３（ａ）】同じく制御ブロック図である。
【図３（ｂ）】同じく制御ブロック図である。
【図３（ｃ）】同じく制御ブロック図である。
【図４（ａ）】同じく紙継ぎ制御のフロー図である。
【図４（ｂ）】同じく紙継ぎ制御のフロー図である。
【図４（ｃ）】同じく紙継ぎ制御のフロー図である。
【図５（ａ）】同じく紙継ぎ制御のフロー図である。
【図５（ｂ）】同じく紙継ぎ制御のフロー図である。
【図５（ｃ）】同じく紙継ぎ制御のフロー図である。
【図５（ｄ）】同じく紙継ぎ制御のフロー図である。
【図６（ａ）】同じく紙継ぎ制御のフロー図である。
【図６（ｂ）】同じく紙継ぎ制御のフロー図である。
【図６（ｃ）】同じく紙継ぎ制御のフロー図である。
【図７（ａ）】同じく紙継ぎ制御のフロー図である。
【図７（ｂ）】同じく紙継ぎ制御のフロー図である。
【図７（ｃ）】同じく紙継ぎ制御のフロー図である。
【図７（ｄ）】同じく紙継ぎ制御のフロー図である。
【符号の説明】
【００８７】
１  給紙装置
２  印刷ユニット
３  乾燥機
４  冷却装置
５  ウェブパス装置
６  ドラッグ装置
７  折機
１０  装置本体
１１  ターレット・アーム
１２  新巻取紙
１３  旧巻取紙
１４  ターレット・アーム旋回用モータ
１５  ターレット・アーム旋回用モータ用ロータリ・エンコーダ
１６  Ａ側新巻取紙駆動用モータ
１７  Ａ側新巻取紙駆動用モータ用ロータリ・エンコーダ
１８  Ｂ側新巻取紙駆動用モータ
１９  Ｂ側新巻取紙駆動用モータ用ロータリ・エンコーダ
２０  紙継ぎユニット
２２，２３  ロール
２４  固定ロール
２５  圧接ローラ
２６  カッター
２７  圧接ローラ駆動用エア・シリンダ
２８  カッター着脱用エア・シリンダ
２９  紙継ぎユニット着脱用エア・シリンダ
３０  両面接着テープ
３１  糊位置検出用センサ
３２  新巻取紙停止位置検出用センサ
３３  新巻取紙径測定用距離計測器
３４  新巻取紙選択ボタン１
３５  新巻取紙選択ボタン２
３６  小径モード・スイッチ
３７  入力装置
３８  表示装置
３９  出力装置
４０  制御装置
４１  ＣＰＵ
４２  ＲＯＭ
４３  ＲＡＭ
４４ａ〜４４ｎ  入出力装置
４５  インタフェース
４６  新巻取紙記憶用メモリ
４７  Ａ側の新巻取紙径測定位置記憶用メモリ
４８  Ｂ側の新巻取紙径測定位置記憶用メモリ
４９  新巻取紙径測定位置記憶用メモリ
５０  ターレット・アーム旋回位置測定用カウンタの値記憶用メモリ
５１  新巻取紙径測定用距離計測器の出力記憶用メモリ
５２  新巻取紙径記憶用メモリ
５３  ターレット・アーム幅記憶用メモリ
５４  Ａ側の紙継ぎ待機基準位置記憶用メモリ
５５  Ｂ側の紙継ぎ待機基準位置記憶用メモリ
５６  新巻取紙の紙継ぎ待機位置記憶用メモリ
５８  印刷機の回転速度測定用ロータリ・エンコーダに接続されたＡ/Ｄ変換器の出力記憶用メモリ
５９  現在の印刷機の回転速度記憶用メモリ
６０  旧巻取紙の巻き出し速度測定用ロータリ・エンコーダに接続されたＡ/Ｄ変換器の出力記憶用メモリ
６１  旧巻取紙の巻き出し速度記憶用メモリ
６２  紙継ぎ時の新巻取紙駆動用モータの回転速度記憶用メモリ
６３  Ａ側新巻取紙駆動用モータ用ロータリ・エンコーダに接続されたＡ/Ｄ変換器の出力記憶用メモリ
６４  Ｂ側新巻取紙駆動用モータ用ロータリ・エンコーダに接続されたＡ/Ｄ変換器の出力記憶用メモリ
６５  現在の新巻取紙駆動用モータの回転速度記憶用メモリ
６６  圧接ローラ着タイミング記憶用メモリ
６７  カッター動作タイミング記憶用メモリ
６８  Ａ側新巻取紙回転位置測定用カウンタの値記憶用メモリ
６９  Ｂ側新巻取紙回転位置測定用カウンタの値記憶用メモリ
７０  Ａ側の運転位置記憶用メモリ
７１  Ｂ側の運転位置記憶用メモリ
７２  新巻取紙運転位置記憶用メモリ
７３  紙継ぎ時の印刷機速度記憶用メモリ
７４  ＢＵＳ線
７５  Ａ／Ｄ変換器
７６  Ａ／Ｄ変換器
７７  Ｆ／Ｖ変換器
７８  印刷機の回転速度測定用ロータリ・エンコーダ
７９  Ａ／Ｄ変換器
８０  Ｆ／Ｖ変換器
８１  旧巻取紙の巻き出し速度測定用ロータリ・エンコーダ
８２  ターレット・アーム旋回用モータ・ドライバ
８３  ターレット・アーム旋回位置測定用カウンタ
８４  Ａ側新巻取紙駆動用モータ・ドライバ
８５  Ａ／Ｄ変換器
８６  Ｆ／Ｖ変換器
８７  Ａ側新巻取紙回転位置測定用カウンタ
８８  Ｂ側新巻取紙駆動用モータ・ドライバ
８９  Ａ／Ｄ変換器
９０  Ｆ／Ｖ変換器
９１  Ｂ側新巻取紙回転位置測定用カウンタ
９２  印刷機制御装置
９３  残紙長計
Ｗ  ウェブ
【図１】
2007320733.tif 000003
【図２】
2007320733.tif 000004
【図３（ａ）】
2007320733.tif 000005
【図３（ｂ）】
2007320733.tif 000006
【図３（ｃ）】
2007320733.tif 000007
【図４（ａ）】
2007320733.tif 000008
【図４（ｂ）】
2007320733.tif 000009
【図４（ｃ）】
2007320733.tif 000010
【図５（ａ）】
2007320733.tif 000011
【図５（ｂ）】
2007320733.tif 000012
【図５（ｃ）】
2007320733.tif 000013
【図５（ｄ）】
2007320733.tif 000014
【図６（ａ）】
2007320733.tif 000015
【図６（ｂ）】
2007320733.tif 000016
【図６（ｃ）】
2007320733.tif 000017
【図７（ａ）】
2007320733.tif 000018
【図７（ｂ）】
2007320733.tif 000019
【図７（ｃ）】
2007320733.tif 000020
【図７（ｄ）】
2007320733.tif 000021